【事件の表示】
　特許第２６７１１３９号「情報記録媒体，光情報記録方法および光情報記録再生方法」の特許に対する特許異議の申立てについて、次のとおり決定する。
【結論】
　訂正を認める。
　本件特許異議の申立てを却下する。
【理由】
１．手続の経緯
　特許第２６７１１３９号の請求項１〜請求項３に係る発明についての出願は、昭和６３年１０月２６日に特許出願され、平成９年７月１１日にその設定の登録がなされ、その後、花王株式会社及び小野惠子より特許異議の申立てがなされ、取消理由通知がなされ、その指定期間内である平成１０年９月２２日に訂正請求がなされた後、訂正拒絶理由が通知され、各訂正拒絶理由に対してそれぞれ手続補正書が提出されたものである。
２．訂正の適否について
〔２−１〕訂正請求に対する補正の適否について
　特許権者のなした訂正請求に対する補正は、訂正請求書の要旨を変更するものではなく、特許法第１２０条の４第３項において準用する同法第１３１条第２項の規定に適合する。
〔２−２〕訂正の適否についての判断
（ア）　訂正の内容
　特許権者は、請求項１を削除し、請求項２を請求項１に、そして請求項３を請求項２に訂正し、特許請求の範囲の訂正に従って、その訂正に関連する明細書の「発明の詳細な説明」の欄の記載を削除するとともに、発明の名称を訂正することを請求する。
（イ）　訂正の目的の適否、新規事項の有無、及び特許請求の範囲の拡張・変更の存否
　上記訂正は、特許請求の範囲の減縮に該当し、新規事項の追加に該当せず、実質的に特許請求の範囲を拡張し、又は変更するものではなく、訂正後の請求項１及び請求項２に係る発明は特許出願の際独立して特許を受けることができるものである。
（ウ）　むすび
　以上のとおりであるから、上記訂正は、特許法第１２０条の４第２項及び同条第３項で準用する第１２６条第２〜４項の規定に適合するので、当該訂正を認める。
３．特許異議の申立てについて
　請求項１に係る発明は、訂正の結果削除され、特許異議の申立ての対象が存在しない。
　よって、結論のとおり決定する。
【異議決定日】
平成１１年１２月２１日（１９９９．１２．２１）
【訂正の要旨】
〔訂正の要旨〕
　特許第２６７１１３９号の明細書中特許請求の範囲の請求項１〜３を、特許請求の範囲の減縮を目的として、もとの請求項１を削除し、もとの請求項２、３を以下項番を繰り上げ、次のように訂正する。
「特許請求の範囲
　１。円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上に保護層が設けられた情報記録媒体を、定線速度で回転させながら、該記録層か設けられた該トラッキングガイドのグルーブにレーザー光を照射して情報を記録することからなる光情報記録方法。
　２。円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上保護層が設けられた情報記録媒体を、定線速度で回転させながら、該記録層が設けられた該トラッキングガイドのグルーブにレーザー光を照射して情報を記録した後、該情報記録媒体を定線速度で回転させながら、該トラッキングガイドのグルーブに３ビーム方式にてレーザー光を照射して情報を再生することからなる光情報
記録
（５４）【発明の名称】
光情報記録方法および光情報記録再生方法
（５７）【特許請求の範囲】
　１。円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上に保護層が設けられた情報記録媒体を、定線速度で回転させながら、該記録層が設けられた該トラッキングガイドのグルーブにレーザー光を照射して情報を記録することからなる光情報記録方法。
　２。円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上に保護層が設けられた情報記録媒体を、定線速度で回転させながら、該記録層が設けられた該トラヅキングガイドのグルーブにレーザー光を照射して情報を記録した後、該情報記録媒体を定線速度で回転させながら、該トラッキングガイドのグルーブに３ビーム方式にてレーザー光を照射して情報を再生することからなる光情報
記録
【発明の詳細な説明】
　　　　　　　　　　　　　　［発明の分野］
　本発明は、高エネルギー密度のレーザービームを用いて情報記録媒体に情報の書き込みを行なう方法そして記録された情報の読取りを行なう方法に関するものである。
　　　　　　　　　　　　　［発明の技術的背景］
　近年において、レーザー光等の高エネルギー密度のビームを用いる情報記録媒体が開発され、実用化されている。この情報記録媒体は光ディスクと称され、ビデオ・ディスク、オーディオ・ディスク、さらには大容量静止画像ファイルおよび大容量コンピュータ用ディスク・メモリーとして使用されうるものである。これらの情報記録媒体のうちで、音楽等のオーディオ再生用としてコンパクトディスク（ＣＤ）が広く実用化されている。
　コンパクトディスク（ＣＤ）は、一般にＣＤフォーマット信号等のＥＦＭ（Ｅｉｇｈｔ　ｔｏ　Ｆｏｕｒｔｅｅｎ　Ｍｏｄｕｌａｔｉｏｎ）デジタルオーディオ信号情報を有する孔（ピット）が予め形成されているプラスチックの円盤状透明基板と、この上に設けられたアルミニウム等の金属からなる反射性薄膜および保護膜とから構成されている。ＣＤからの情報の読み取りは、レーザービームを光ディスクに照射することにより行なわれ、ピットの有無による反射率の変化によってＣＤフォーマット信号等が読み取られる。
　ＣＤは、ＣＤ規格に基づいて、ＣＤを１．２〜１．４ｍ／秒の定線速度で回転させて記録することにより、信号面内径４５ｍｍおよび信号面外径１１６ｍｍの範囲内で、ピット幅０．８μｍ、トラックピッチ１．６μｍにて最大７４分の記録時間を有することが要求されている。従来のオーディオ用ＣＤは、予め基板にピットが形成された（従って、記録層を有しない）再生専用のものであり、情報の記録、編集等ができないとの欠点を有していた。従ってＤＲＡＷ（Ｄｉｒｅｃｔ　Ｒｅａｄ　Ａｆｔｅｒ　Ｗｒｉｔｅ、書き込み可能）型ＣＤの開発が望まれている。
　また、文書、データ、静止画像等のファイルにおいても、ＣＤ−ＲＯＭ（Ｒｅａｄ　Ｏｎｌｙ　Ｍｅｍｏｒｙ）またはＣＤ−Ｉ（Ｉｎｔｅｒａｃｔｉｖｅ）用のＤＲＡＷ型光ディスクが望まれている。
　通常のＤＲＡＷ型の情報記録媒体は、基本構造として、プラスチック、ガラス等からなる円盤状の透明基板と、この上に設けられたＢｉ、Ｓｎ、Ｉｎ、Ｔｅ等の金属または半金属からなる記録層とを有する。記録媒体への情報の書き込みは、たとえばレーザービームを記録媒体に照射することにより行なわれ、記録層の照射部分がその光を吸収して局所的に温度上昇する結果、ピット形成等の物理的変化あるいは相変化等の化学的変化を生じてその光学的特性を変えることにより情報が記録される。光ディスクからの情報の読み取りもまた、レーザービームを光ディスクに照射することなどにより行なわれ、記録層の光学的特性の変化に応じた反射光または透過光を検出することにより情報が再生される。
　しかしながら、このような従来のＤＲＡＷ型の情報記録媒体では、記録に際して、速い線速度で光ディスクを回転させるため、広いピット間隔をとらなければ情報を記録することができず、遅い線速度で高密度の情報の記録を行なうＣＤ方式による情報の書き込みは難しかった。また、情報を記録することができたとしても、再生時のレーザービームに対する高い反射率が要求される市販のＣＤプレーヤーでは情報を読み取ることができなかった。
　上記のように光ディスクヘの情報の書き込み及び読み取りは、通常ディスク表面の所定の位置にレーザービームを照射することにより行なわれている。一方、光ディスクヘの、情報記録量の増加が強く望まれているところがら、ピットなどの記録部位の密度の増大が図られている。そして、このような記録部位の密度の増大により、レーザービームを正しく所定の位置に照射することが困難になるため、最近ではレーザービームを案内して正確に照射予定位置をたどる（一般にトラッキングと呼ばれる）ようにするために、添付図面の第１図に示したような断面形状を有するトラッキングガイド（プレグルーブとも呼ばれる）がディスク表面に設けられることが多くなっている。
　上記従来のＤＲＡＷ型の情報記録媒体はＩＳＯ（国際標準化機構）で標準化が行なわれており、このような情報記録媒体のグルーブの深さおよび幅については、優れた特性を得るためのこれらの範囲が、”光ディスク標準化動向説明資料”（光産業技術振興協会・光ディスク懇談会編、１１３頁、昭和６２年１２月３日発行）に以下のように記載されている。
　すなわち、グルーブ（溝内）に記録する場合、グルーブの深さは７００Å以上、その幅は０．８μｍ以上で光ディスクの特性が良好であり、また、ランド（溝間）に記録する場合、グルーブの深さは８００Å以上、その幅は０．６μｍ以下においてその特性が良好である。
　従って、上記情報の記録は、前記寸法を有するグルーブに行なわれており、高反射率、ビットのある部分とない部分の反射光量の差が大きいことからグルーブよりむしろランド面に行なわれることが一般的である。
　従来のＣＤ方式のディスクにおいても前記寸法のグルーブが一般的である。しかしながら、本発明者の研究によると、上記グルーブのトラッキングガイドを有する記録層のグルーブにレーザー光の照射によりピットを形成させて情報を記録した場合でも、３ビーム方式で情報を読み取る市販のＣＤプレーヤーで再生した場合には再生が困難との問題があった。
　すなわち、本発明者の研究によると、上記トラッキングガイドを有する記録層のグルーブにレーザー光の照射によりピットを形成させて情報を記録した場合、ピットが半径方向に広がり易く、その大きさが大きくなりすぎるため、再生時の信号の読み誤りが増加したり、トラッキング精度が低下することが明らかとなった。これはＣＤ方式により記録を行なうディスクは、通常の光ディスクに比べて遅い線速度で高密度の情報の記録を行なうため、熱の蓄積が起こり易くなり、上記のようなピットの広がりが生ずると考えられる。しかしながら、この広がりを抑えるためレーザー光のパワーを低くすると完全な記録が行なえないとの問題が発生する。このようなピットの広がりは、エッジに溝の側壁が存在しないランド面の場合に、その広がりが顕著であるが、グルーブにピットを形成させるときも問題となっていた。
　　　　　　　　　　　　　　［発明の目的］
　本発明は、トラッキング特性が向上したＤＲＡＷ型情報記録媒体に光記録する方法、特にコンパクトディスク（ＣＤ）フォーマット信号等のように遅い定線速度で光記録を行なうための新規な方法を提供する。
　また、本発明は、記録された信号を３ビーム方式にてレーザー光を照射して良好なトラッキングにより再生することができる情報の再生方法、特に市販のＣＤプレーヤーを利用して再生が可能な光情報再生方法を提供することを目的とする。
　　　　　　　　　　　　　　［発明の要旨］
　本発明は、円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上に保護層が設けられた情報記録媒体を、定線速度で回転させながら、該記録層が設けられた該トラッキングガイドのグルーブにレーザー光を照射して情報を記録することからなる光情報記録方法にある。
　本発明はまた、円盤状基板の表面に設けられた深さが２００〜６００Åの範囲にあり且つ幅が０．３〜０．６μｍの範囲にあるグルーブからなるトラッキングガイド上に、レーザー光による情報の書き込みが可能な記録層が設けられ、さらに該記録層上に保護層が設けられた情報記録媒体を、定線速度で回転させながら、該記録層が設けられた該トラッキングガイドのグルーブにレーザー光を照射して情報を記録した後、該情報記録媒体を定線速度で回転させながら、該トラッキングガイドのグルーブに３ビーム方式にてレーザー光を照射しで情報を再生することからなる光情報再生方法にもある。
　上記本発明の情報記録媒体の好ましい態様は下記の通りである。
　１）該トラッキングガイドのグルーブの深さが３００〜５００Åの範囲にあることを特徴とする上記情報記録媒体。
　２）該トラッキングガイドのグルーブの幅が０．４〜０．５μｍの範囲にあることを特徴とする上記情報記録媒体。
　３）該円盤状基板がポリメタクリル酸系樹脂もしくはポリカーボネート樹脂であることを特徴とする上記情報記録媒体。
　上記本発明の光情報記録方法の好ましい態様は下記の通りである。
　１）上記情報の記録が、該情報記録媒体を、１．２〜２．８ｍ／秒の定線速度で回転させながら、該記録層が設けられた該トラッキングガイドのグルーブにレーザー光を照射することにより行なわれることを特徴とする光情報記録方法。
　２）上記情報の記録が、該情報記録媒体を、定線速度で回転させながら、該記録層が設けられた該トラッキングガイドのグルーブにレーザー光を照射してＣＤフォーマットのＥＦＭ信号を記録することにより行なわれることを特徴とする光情報記録方法。
　上記本発明の光情報記録再生方法の好ましい態様は下記の通りである。
　１）上記情報の再生が、該情報記録媒体を、１．２〜２．８ｍ／秒の定線速度で回転させながら、該記録層が設けられた該トラッキングガイドのグルーブにレーザー光を照射することにより行なわれることを特徴とする光情報記録再生方法。
　尚、上記グルーブ幅は、グルーブの底面からグルーブの深さの５０％の高さ位置でのグルーブ幅の値である。
　　　　　　　　　　　　　　［発明の効果］
　本発明の情報記録媒体は従来の同種のプレグルーブ付き情報記録媒体に比較してトラッキング精度が顕著に向上している。すなわち、本発明の情報記録媒体はプレグルーブ付きで且つグルーブにピットを形成することにより記録を行なう情報記録媒体であって、従来の同種の情報記録媒体に比べて、深さが浅くかつ幅の狭いグルーブにピット形成させるためピットの形が小さく均一であることから、再生時の読み誤りがほとんどない。また、市販のＣＤプレーヤーを利用して再生が可能で、特に３ビーム方式で再生した際のトラッキング・サーボ・ゲインが優れているので再生時の音跳び等がなく、さらにプレーヤービリティーが良好でランダムアクセスが容易である。
　　　　　　　　　　　　　［発明の詳細な記述］
　本発明の情報記録媒体は、上記問題を解決するため、トラッキングガイドのグルーブの幅を従来のＩＳＯ対応ディスクやＣＤ方式光ディスクよりも狭くして熱伝導を抑えることにより、記録ピットの幅を狭く、揃ったものとしている。これにより再生時の信号の読み誤りの無い、そしてトラッキング精度の優れた情報記録媒体を得ることができる。すなわち、ピットが形成される際、グルーブのエッジからランド部へのピットの広がりが側壁によって抑えられ、上記のような形が小さく、良く揃ったピットが得られる。本発明の情報記録媒体は、さらに市販のＣＤプレーヤで再生することができるように充分な反射率を得るためグルーブの深さを上記に示された通常の深さより浅いものとしている。
　ＩＳＯ対応型の光ディスクでは、グルーブの深さは浅いほど、そしてランド幅とグルーブ幅が近いほどランドとグルーブの反射光量の差が小さいためトラッククロス信号が小さくなりアクセス時のトラックカウント誤りが生じ易いとの問題があったが、ＣＤフォーマット信号の記録、再生への用途にはこれは問題とならない。
　本発明の情報記録媒体は、円盤状基板の表面にトラッキングガイドが設けられたものであり、そして該トラッキングガイドの断面は例えば第１図で示される形状を有し、ｈはグルーブの深さまたｗはグルーブ幅を表わしている。そのグルーブの深さ（第１図のｈ）が２００〜６００Åの範囲にあり、且つその幅（第１図のｗ）が０．３〜０．６μｍの範囲にあることが必要である。ただし、この第１図のｗで示されるグルーブ幅は、グルーブの底面からグルーブの深さの５０％の高さ位置（すなわち第１図に示すように上からｈ／２、下からｈ／２の位置）でのグルーブ幅（すなわち全半値幅）の値である。
　さらに、上記トラッキングガイドのグルーブの深さが３００〜５００Åの範囲にあり、且つその幅が０．４〜０．５μｍの範囲にあることが好ましい。
　本発明の情報記録媒体は、上記基板にレーザによる情報の書き込みが可能な記録層が設けられたものである。
　本発明の光情報記録方法は、上記本発明の情報記録媒体を、定線速度で回転させながら、該記録層が設けられたトラッキングガイドのグルーブにレーザー光を照射して情報の記録を行なう。好ましくは該情報記録媒体を１．２〜２．８ｍ／秒の定線速度で回転させながら、該記録層が設けられたトラッキングガイドのグルーブにレーザー光を照射してＣＤフォーマットのＥＦＭ信号等のデジタル信号を記録する。
　本発明の情報記録媒体への記録はトラッキングガイドのグルーブ（溝内）に行なわれており、これにより、本発明の効果である大きさの抑制されたピットの形成を行なうことができる。そして、ＣＤプレーヤーで再生可能な高い反射率を得るため上記特定の範囲のグルーブの深さに設定されている。
　本発明の情報記録媒体のトラッキングガイドのグルーブにビット記録された状態の一例を第２図に示す。これはトラッキングガイドを上から見た模式図である。第２図において、１がグルーブ、２がランド部そして３がビットを表わしている。本発明の狭いグルーブに形成されたピットは、その幅がグルーブの側壁に阻まれグルーブ幅と同一の寸法に近くなっていることがわかる。
　このように、本発明の情報記録媒体の記録状態は、ピットの幅が狭く、揃っており、且つ、高い反射率を有するものである。従って、上記情報記録媒体をＣＤの再生方法として極めて一般的な方法である３ビーム法で再生した際、トラッキング・サーボ・ゲインが顕著に向上して、周囲の振動等による音飛び現象等が減少したものとなる。
　上記３ビーム法は、トラッキングサーボ方式の一つとして既に公知であり、三つのビームは信号読み取り用の主ビームとトラッキング用の二本の副ビームからなっている。他のトラッキングサーボ方式としては、信号を読み取り用のビームがトラッキングサーボも兼ねる、すなわち一つのビームが再生とトラッキングの役割を果たすプッシュプル法やＤＰＤ法等が知られている。本発明において特に有用な３ビーム法について添付第３図を参照しながら説明する。第３図は、３ビーム法により情報記録媒体の記録層上に生ずる三つのビームのビームスポットの位置の一例を示す模式図である。３ビーム法に用いられる三つのビームは、信号の読み取り用の主ビーム４とその前後にトラック（本発明ではグルーブ上のピット列）６を挟んでトラッキング用の二本の副ビーム５ａ、５ｂからなり、前の副ビーム５ａは主ビームより右より、後の副ビーム５ｂは主ビームより左側に配置されている。再生時のトラッキングは、二本の副ビーム５ａ、５ｂにより行なわれ、第３図（ｂ）は副ビーム５ａ、５ｂの位置関係が良好なトラッキング状態にある場合の配置である。すなわち、副ビーム５ａおよび５ｂは、それぞれのビームスポットがトラックにかかっている程度がほぼ同じであることから、副ビーム５ａから検出される反射光量と、副ビーム５ｂからの反射光量が等しくなり、従ってトラッキングサーボからレーザービームを放射するピックアップヘの出力は０となり、トラッキング状態は補正されない。しかし、第３図の（ａ）および（ｃ）の場合は、副ビーム５ａおよび５ｂは、それぞれのビームスポットがトラックにかかっている程度が異なることから、副ビーム５ａから検出される反射光量と、副ビーム５ｂからの反射光量との差が生じ、トラッキング状態は補正される。このようにして、３ビーム法によるトラッキングが行なわれる。
　本発明の光情報記録再生方法は、上記情報が記録された本発明の情報記録媒体を定線速度で回転させながら、該トラッキングガイドのグルーブに３ビーム方式にてレーザー光を照射して該情報を再生することを特徴としている。好ましくは、該情報記録媒体を・１．２〜２．８ｍ／秒の定線速度で回転させながら、情報の再生が行なわれる。
　本発明の再生方法である３ビーム法で情報を再生した際、上記のようにトラッキング・サーボ・ゲインの向上および音飛び現象等の減少が顕著であり、さらに特にＣＤフォーマットのＥＦＭ信号を用いて記録されたデジタル信号を再生する場合に有利であるといえる。
　また、上記のように大きさの抑制されたピットが記録されているので、３ビーム法のみならずプッシュプル法、ＤＰＤ法等の各種トラッキング方式のＣＤプレーヤーで再生することができる。
　本発明の情報記録媒体はたとえば下記の方法により製造することができる。
　プレグルーブ付き基板は、例えば、ポリカーボネート樹脂、ポリアクリル系樹脂などのプラスチック材料をモールディングして製造する方法、プラスチック板、あるいはガラス板などの平面基板にプレグルーブを有する樹脂層を積層させる方法等によって製造することができ、これらの方法は既に一般的に知られている。
　本発明の情報記録媒体においては、プレグルーブの深さが、基板の屈折率と、利用するレーザ光の波長との関係において同種の従来の情報記録媒体と相違する。通常は、本発明の情報記録媒体のプレグルーブは従来の同種の情報記録媒体のプレグルーブよりも浅く且つ狭く形成される。
　上記基板上には、レーザー光の熱エネルギーの記録層から損失を防ぐ等のため中間塗布層を設けても良い。中間塗布層の形成に際して発生するプレグルーブ底部と側壁頂部との間の塗布層の厚さ変動は、塗布層の所定平均厚さによっても変化するが、通常は２００〜４００オングストロームの範囲にある。従って、プレグルーブの深さの決定にあたって、類似した系における塗布層厚さ変動の既知データを参照することができる。ただし、対象の系について種々グルーブ深さを変化させた基板を予め調製し、それぞれに所定の中間塗布層を形成したのち、塗布層の所定部位間の寸法を測定し、前記に規定された関係式との対応を見ながら、最も適したプレグルーブ深さを決定することが好ましく、この方法により高い精度で基板上のプレグルーブの深さを決定することができる。
　プレグルーブを有する基板表面への中間塗布層の形成は、公知の塗布法により行なうことができる。公知の塗布法の例としてはスピンコート法、ディップコート法などを挙げることができる。
　なお、塗布法により形成される中間層の例としては、上記断熱層以外に接着層、反射層、感度強化層（ガス発生層）などを挙げることができる。
　中間塗布層が断熱層である場合には、例えばポリメチルメタクリレート、アクリル酸・メタクリル酸共重合体、スチレン・無水マレイン酸共重合体、ポリビニルアルコール、Ｎ−メチロール・アクリルアミド共重合体、スチレン・スルホン酸共重合体、スチレン・ビニルトルエン共重合体、塩素化ポリエチレン、クロルスルホン化ポリエチレン、ニトロセルロース、ポリ塩化ビニル、ポリエステル、ボリイミド、酢酸ビニル・塩化ビニル共重合体、エチレン・酢酸ビニル共重合体、ポリエチレン、ポリプロピレン、ポリカーボネートなどの高分子物質を溶剤に溶解した塗布液を用いて形成することができる。
　中間塗布層の層厚（平均層厚）は、中間層に要求される特性を考慮して決定されている。中間塗布層の層厚は通常は１００〜１０００オングストロームの範囲にある。
　基板上または中間塗布層の上には、記録層が設けられる。
　記録層に用いられる材料の例としては、Ｔｅ、Ｚｎ、Ｉｎ、Ｓｎ、Ｚｒ、Ａｌ、Ｃｕ・Ｇｅ等の金属；Ｂｉ、Ａｓ、Ｓｂ等の半金属；Ｇｅ、Ｓｉ等の半導体；およびこれらの合金またはこれらの組み合わせを挙げることができる。また、これらの金属または半金属の硫化物、酸化物、ホウ化物、ケイ素化合物、炭化物および窒化物等の化合物；およびこれらの化合物と金属との混合物も記録層に用いることができる。
　記録層は、上記の記録材料を蒸着、スパッタリング、イオンプレーティングなどの方法によって基板上（または中間塗布層上）に形成することができる。所望により、中間層の下に下塗り層を介在させてもよい。記録層は単層または重層でもよいが、その層厚は光情報記録に要求される光学濃度の点から一般に１００乃至５５００オングストロームの範囲である。
　記録層の上には保護層が設けられる。保護層としては、軟質樹脂材料からなる軟質保護層と硬質樹脂材料からなる硬質保護層との積層体が好ましい。この積層体は、軟質保護層側を記録層側にして、記録層上に積層する。軟質樹脂材料の例としては、ポリウレタン、ポリ塩化ビニリデン、エチレン・酢酸ビニル共重合体、シリコンゴム、スチレン・ブタジエンゴム、ポリ塩化ビニリデン、ポリアクリル酸エステルを挙げることができる。通常、これらは、溶液塗布、ラテックス塗布、熔融塗布などの方法により記録層上に塗布され、必要により乾燥、加熱などの処理を行なって軟質保護層とされる。軟質保護層の層厚は通常１００Å〜５μｍの範囲にあり、好ましくは０．３〜３μｍの範囲にある。硬質樹脂材料の例としては、紫外線硬化樹脂、熱硬化樹脂などが挙げられる。通常、これらは、溶液塗布などの方法により軟質保護層上に塗布され、必要により紫外線照射、加熱などの処理を行なって硬質保護層とされる。硬質保護層の層厚は通常０．１〜１０μｍの範囲にあり、好ましくは１〜３μｍの範囲にある。
　基板の記録層が設けられる側とは反対側の表面には、耐傷性、防湿性などを高めるために、例えば二酸化ケイ素、酸化スズ、弗化マグネシウムなどの無機物質、あるいは熱可塑性樹脂、光硬化型樹脂などの高分子物質からなる薄膜が、真空蒸着、スパッタリングまたは塗布等の方法により設けられていてもよい。
　貼り合わせタイプの情報記録媒体においては、上記構成を有する二枚の基板を接着剤等を用いて接合することにより製造することができる。エアーサンドイッチタイプの記録媒体においては、二枚の円盤状基板のうちの少なくとも一方が上記構成を有する基板を、リング状の外側スペーサと内側スペーサとを介して、あるいはいずれか一方もしくは双方の基板に設けられた突起を介して接合することにより製造することができる。
　次に本発明の光情報記録方法および再生方法について説明する。本発明では、ＣＤフォーマット信号等の遅い定線速度にてデジタル信号を記録する場合に特に有利であることから、ＣＤフォーマット信号を記録、再生する方法を例にとって以下に説明する。
　例えば前記通常のグルーブより浅く且つ狭いグルーブのトラッキングガイドを有する基板の表面に記録層が設けられた本発明の情報記録媒体を、１．２〜２．８ｍ／秒の定線速度にて回転させながら、半導体レーザー光などの記録用光をその記録層に照射してＣＤフォーマット信号を記録する。一般に、記録光としては７５０〜８５０ｎｍの範囲の発振波長を有する半導体レーザービームが用いたられる。本発明の情報記録媒体では、１０ｍＷ以下のレーザーパワーで記録することができる。
　これにより、記録層には長さが０．７０〜４．０μｍのピットが０．７０〜４．０μｍの間隔で同心円状もしくはスパイラル状に形成される。そして、ＣＤフォーマット信号などのＥＦＭ信号情報が記録層に書き込まれる。信号の記録は溝上に行なわれる。このとき、信号面の内径は５０ｍｍ、外径が１１５ｍｍの記録媒体で、６０分以上の記録が可能である。
　本発明の光情報記録方法は、上記のような記録を行なう際、本発明のトラッキングガイドによりトラッキング制御が極めて良好に行なうことができる。そして上記記録がトラッキングガイドのグルーブ（溝内）にされることにより本発明の効果である大きさの抑制されたピットの形成を行なうことができる。ランド部（溝間）に記録された場合には、ピットの広がりが抑えられず、本発明の効果は得られない。
　情報の再生は、情報記録媒体を上記と同一の定線速度で回転させながら半導体レーザー光を基板側から照射して、その反射光を検出することにより行なうことができる。本発明においては、高い反射率を得るため通常のグルーブの深さより浅い上記特定の範囲のグルーブの深さに設定されているので、記録層がプレーンな平面で６０％以上の高い反射率を有することから市販のＣＤプレーヤーを用いて充分に読み取りを行なうことができる。
　本発明のトラッキングガイドのグルーブの幅は前述のように通常より狭いため、ピットの幅が狭く、揃ったものとなる。従って、ＣＤの再生方法として極めて一般的な方法である３ビーム法で再生することにより、トラッキング・サーボ・ゲインが顕著に向上して、周囲の振動等による音飛び現象等が減少し、安定した再生が行なえる。
　なお、本発明の情報記録媒体は、ＣＤ−ＲＯＭ、ＣＤ−ＩなとのＣＤフオーマットで記録される媒体とは本質的に互換性がある。
　次に本発明の実施例および比較例を記載する。ただし、これらの各例は本発明を制限するものではない。
［実施例１］
　射出成形によりプレグルーブを設けた円盤状ポリカーボネート基板［外径：１３０ｍｍ、内径：１５ｍｍ、厚さ：１．２ｍｍ、グルーブ深さ（第１図のｈ）：４１０オングストローム、グルーブ幅（第１図のｗ）：０．４２μｍ、屈折率：１．５７］のプレグルーブ面に塩素化ポリエチレン含有塗布液［メチルセロソルブ・ブタノール・イソプロパノール混合溶媒（１２：８：８０、体積比）に塩素化ポリエチレンが０．３％溶解しているもの］をスピンコ一夕ーを用いて塗布し、次いで乾燥して中間塗布層を形成した。
　次に、上記中間塗布層の上にＩｎ：ＧｅＳ：Ａｕ＝６６：２２：１２（重量比）の比率で共蒸着させて、厚さ３００オングストロームの記録層を形成した。さらに、記録層上に厚さ２μｍのポリウレタンの保護層を設置した。下記の評価の際、記録はグルーブ（溝内）に行なった。
［比較例１］
　実施例１において、プレグルーブを設けた円盤状ポリカーボネート基板のグルーブ深さ（第１図のｈ）を７５０オングストローム、グルーブ幅（第１図のｗ）を０．８０μｍに変更した以外は実施例１と同様の方法により光ディスクを得た。下記の評価の際、記録はグルーブ（溝内）に行なった。
［比較例２］
　光ディスクは比較例１と同様にして製造し、下記の評価の際、記録はランド面（溝間）に行なった。
［比較例３］
　実施例１において、プレグルーブを設けた円盤状ポリカーボネート基板のグルーブ深さ（第１図のｈ）は変更せず（即ち４１０オングストローム）、グルーブ幅（第１図のｗ）を０．８０μｍに変更した以外は実施例１と同様の方法により光ディスクを得た。下記の評価の際、記録はグルーブに行なった。
　　　　　　　　　　　　　［光ディスクの評価］
　ケンウッド（株）製のＥＦＭエンコーダーより発生するリードイン情報および基準信号を得られた光ディスクの、実施例１、比較例１および比較例３はグルーブ（溝内）に、比較例２はランド部（溝間）に記録を行なった。
　上記情報の記録された光ディスクをＣＤプレーヤー（ＣＤＸ−５５０、ＹＡＭＡＨＡ（株）製）にて再生し、プレーヤービリティーを評価した。
　上記評価結果は、実施例１ではその再生音は音飛びがなく、ランダムアクセスが可能であった。比較例１、２および３ではその再生音は音飛びが多く、ランダムアクセスが不可能であった。
【図面の簡単な説明】
　第１図は、本発明の情報記録媒体の基板の断面の一例を示す模式図である。
　第２図は、本発明の情報記録媒体のトラッキングガイドのグルーブに情報がピットにより記録された状態の一例を示す平面の模式図である。
　第３図は、３ビーム法により情報記録媒体の記録層上に生ずる三つのビームのビームスポットの位置の一例を示す模式図である。
グルーブの深さ：ｈ
グルーブの幅：Ｗ
グルーブ：１
ランド：２
ピット：３
主ビーム：４
副ビーム：５ａ、５ｂ
トラック（グルーブ）：６